(57)【要約】　　　（修正有）【課題】差し込み回動操作によって照明灯が引き抜かれて持ち去られない照明灯取付具を提供すること。【解決手段】抜け止め用係止突部１を差し込み部２Ａの周面に設けた照明灯２の取付筒状部３を樹脂で成形すると共に、この取付筒状部３の内方へ突出する補強凹部６による内方突出部６Ａを前記取付筒状部３の周方向に配設すると共に、前記抜け止め用係止突部１が抜き差し出入可能な係止突部通過可能部７を通過させて前記照明灯２の差し込み部２Ａを前記取付筒状部３に差し入れた状態でこの照明灯２を回動して、前記係止突部通過可能部７と前記係止突部１との位置を周方向にずらすことで、この係止突部１が前記内方突出部６Ａにより抜け止め状態となるように構成したことを特徴とする照明灯取付具。【選択図】　　　　図２
2004095207.tif 000002
【特許請求の範囲】
【請求項１】
抜け止め用係止突部を差し込み部の周面に設けた工事用コーン取付用の照明灯の前記差し込み部を差し込み支承する取付筒状部に、単管に取付固定する単管取付部を設けた照明灯取付具であって、前記取付筒状部を樹脂で成形すると共に、この取付筒状部の外面を凹設して内方へ突出する補強凹部を形成し、この補強凹部による内方突出部を前記取付筒状部の周方向に配設すると共に、この内方突出部を有しないカ所を設けて前記抜け止め用係止突部が抜き差し出入可能な係止突部通過可能部を設け、この係止突部通過可能部を通過させて前記照明灯の差し込み部を前記取付筒状部に差し入れた状態でこの照明灯を回動して、前記係止突部通過可能部と前記係止突部との位置を周方向にずらすことで、この係止突部が前記内方突出部により抜け止め状態となるように構成したことを特徴とする照明灯取付具。
【請求項２】
前記取付筒状部に形成した前記補強凹部による内方突出部により、この取付筒状部に差し込んだ前記照明灯の差し込み部を囲んで支承保持するように構成したことを特徴とする請求項１記載の照明灯取付具。
【請求項３】
前記取付筒状部の周方向に複数の補強凹部を形成して、この取付筒状部に差し込む前記照明灯の差し込み部の周囲に複数の前記内方突出部を形成し、この少なくとも隣り合う内方突出部間に前記抜け止め用係止突部が抜き差し出入可能な前記係止突部通過可能部を設けたことを特徴とする請求項２記載の照明灯取付具。
【請求項４】
前記内方突出部間の１ヵ所若しくは複数カ所のみを前記係止突部通過可能部とし、各内方突出部並びに他の内方突出部間においては前記係止突部の抜き差し出入を不可として、前記係止突部通過可能部以外では前記係止突部が抜け止め係止されるように構成したことを特徴とする請求項３記載の照明灯取付具。
【請求項５】
前記取付筒状部の周方向に形成する前記補強凹部を上下二段に設け、この上下の補強凹部間に内方突出部を有しないカ所を設けて前記係止突部が回動移動可能な係止突部回動可能部を設けると共に、この下側の周方向に前記補強凹部による内方突出部が有しないカ所を設けて、前記抜け止め用係止突部が抜き差し出入可能な係止突部通過可能部を設けたことを特徴とする請求項１〜４のいずれか１項に記載の照明灯取付具。
【発明の詳細な説明】
【０００１】
【発明の属する技術分野】
本発明は、工事用コーンの頂部差し込み孔に差し込んで工事用コーンの頂部に立設する点滅灯や警告灯などの照明灯を、工事用コーンではなく例えばバリケードなどの横設単管（仮設パイプ）にも取り付けることができるようにした照明灯取付具に関するものである。
【０００２】
【従来の技術及び発明が解決しようとする課題】
工事用コーンが倒れた際に簡単に外れたり、また安易に抜き取られてしまうことのないように、図１５〜図１８に示すように照明灯２の差し込み部２Ａの外周部には下端部とそのやや上部寄りに周方向位置を９０度あるいは１８０度異ならせて抜け止め用係止突部１を形成し、また、一方工事用コーンＣの頂部には、内空部２０と連通する差し込み孔２１の内周の深さ方向に前記抜け止め用係止突部の通過を許容する通過凹溝２２を形成している。
【０００３】
従って、照明灯２をコーンＣ頂部に立設する場合は、先ず通過凹溝２２に下端部の抜け止め用係止突部１を位置させて、この係止突部１を通過凹溝２２に嵌合させて通過させつつ照明灯２の差し込み部２Ａを差し込み孔２１に差し込み、図１８に示すように下端部の係止突部１が差し込み孔２１を抜けたところで、照明灯２を回動することで係止突部１が抜け止め状態となる。
【０００４】
そして、更に次の係止突部１が通過凹溝２２に位置するところまで照明灯２を回動して更に差し込むことで図１９に示すように通過凹溝２２にこの係止突部１が嵌合し、回り止め状態に固定されることとなり、照明灯２は単に引き抜こうとしても最初の係止突部１によって抜け止め状態となり、また次の係止突部１によって回り止め係止状態で固定され、コーンＣ頂部に立設できることとなる。
【０００５】
一方、このような照明灯は、コーンの頂部だけでなく、バリケードなどの単管に取り付けたい場合も多い。しかし、この場合、単に照明灯を差し込み支承する取付筒状部に単管抱持金具を設けただけでは、照明灯が安易に引き抜かれて持ち去られてしまう。
【０００６】
本発明は、単に照明灯を差し込み支承する取付筒状部に単管抱持用の取付金具を付設するのではなく、照明灯に設けられている既存の抜け止め用係止突部を利用して、単管にも容易に照明灯を取付できる上に、差し込み回動操作によってコーンの場合と同様に一旦差し込み取り付けすれば、安易に照明灯が引き抜かれて持ち去られない構造を、樹脂成形に際して形成する補強凹部によって容易に実現でき、しかも照明筒をガタ付き少なく支承保持できる画期的な照明灯取付具を提供することを目的としている。
【０００７】
【課題を解決するための手段】
添付図面を参照して本発明の要旨を説明する。
【０００８】
抜け止め用係止突部１を差し込み部２Ａの周面に設けた工事用コーン取付用の照明灯２の前記差し込み部２Ａを差し込み支承する取付筒状部３に、単管４に取付固定する単管取付部５を設けた照明灯取付具であって、前記取付筒状部３を樹脂で成形すると共に、この取付筒状部３の外面を凹設して内方へ突出する補強凹部６を形成し、この補強凹部６による内方突出部６Ａを前記取付筒状部３の周方向に配設すると共に、この内方突出部６Ａを有しないカ所を設けて前記抜け止め用係止突部１が抜き差し出入可能な係止突部通過可能部７を設け、この係止突部通過可能部７を通過させて前記照明灯２の差し込み部２Ａを前記取付筒状部３に差し入れた状態でこの照明灯２を回動して、前記係止突部通過可能部７と前記係止突部１との位置を周方向にずらすことで、この係止突部１が前記内方突出部６Ａにより抜け止め状態となるように構成したことを特徴とする照明灯取付具に係るものである。
【０００９】
また、前記取付筒状部３に形成した前記補強凹部６による内方突出部６Ａにより、この取付筒状部３に差し込んだ前記照明灯２の差し込み部２Ａを囲んで支承保持するように構成したことを特徴とする請求項１記載の照明灯取付具に係るものである。
【００１０】
また、前記取付筒状部３の周方向に複数の補強凹部６を形成して、この取付筒状部３に差し込む前記照明灯２の差し込み部２Ａの周囲に複数の前記内方突出部６Ａを形成し、この少なくとも隣り合う内方突出部６Ａ間に前記抜け止め用係止突部１が抜き差し出入可能な前記係止突部通過可能部７を設けたことを特徴とする請求項２記載の照明灯取付具に係るものである。
【００１１】
また、前記内方突出部６Ａ間の１ヵ所若しくは複数カ所のみを前記係止突部通過可能部７とし、各内方突出部６Ａ並びに他の内方突出部６Ａ間においては前記係止突部１の抜き差し出入を不可として、前記係止突部通過可能部７以外では前記係止突部１が抜け止め係止されるように構成したことを特徴とする請求項３記載の照明灯取付具に係るものである。
【００１２】
また、前記取付筒状部３の周方向に形成する前記補強凹部６を上下二段に設け、この上下の補強凹部６間に内方突出部６Ａを有しないカ所を設けて前記係止突部１が回動移動可能な係止突部回動可能部８を設けると共に、この下側の周方向に前記補強凹部６による内方突出部６Ａが有しないカ所を設けて、前記抜け止め用係止突部１が抜き差し出入可能な係止突部通過可能部７’を設けたことを特徴とする請求項１〜４のいずれか１項に記載の照明灯取付具に係るものである。
【００１３】
【発明の実施の形態】
好適と考える本発明の実施の形態（発明をどのように実施するか）を、図面に基づいてその作用効果を示して簡単に説明する。
【００１４】
係止突部１を係止突部通過可能部７に位置させて照明灯２の差し込み部２Ａを取付筒状部３に差し込み、係止突部１が係止突部通過可能部７を通過したところで回動すれば、係止突部１と係止突部通過可能部７との位置がズレ、補強凹部６による内方突出部６Ａによって係止突部１は抜け止め係止される。
【００１５】
また、この抜け止め状態となった照明灯２の差し込み部２Ａはその周囲を内方突出部６Ａによって支承保持されることとなる。
【００１６】
このように本発明によれば、向きを位置決めて差し込み回動することで、補強凹部６の内方突出部６Ａによって周囲が支承保持されつつ、単に引き抜こうとしても位置合わせしない限りこの内方突出部６Ａに既存の係止突部１が係止してそのまま引き抜けないため、抜け止め状態となり、安易に照明灯２を引き取れない。
【００１７】
従って、単管４に十分締め付けるなどして照明灯２を差し込み支承する取付筒状部３を単管４に固定すれば、この取付筒状部３に差し込んだ照明灯２が安易に引き抜かれてしまうことがない。
【００１８】
即ち、取付筒状部３を樹脂成形するに際して、補強凹部６による内方突出部６Ａの成形によって剛性を向上させるだけでなく、この内方突出部６Ａで囲むことで、ガタ付きなく照明灯２を支承保持できるように構成できると共に、この補強凹部６による内方突出部６Ａによって係止突部通過可能部７を設けることで、既存の差し込み部２Ａの係止突部１を利用して、単に差し込み回動することで取付筒状部３に照明灯２を差し込み支承すれば、再び回動しない限り引き抜けないように構成できる。
【００１９】
また言い換えれば、このような内方突出部６Ａによる照明灯２の支承保持構造や、内方突出部６Ａを有しないカ所、例えば内方突出部６Ａ間の係止突部通過可能部７の形成も、取付筒状部３を樹脂製としこの樹脂成形によって容易に製作でき、またこの補強凹部６はこの樹脂製の取付筒状部３の補強作用も果たし、また照明灯２（差し込み部２Ａ）の寸法の違いに対応して多少内方突出部６Ａが変形あるいは柔軟可動するように構成できるため、周囲の内方突出部６Ａ内に照明灯２の差し込み部２Ａを圧入差し込みすることでガタ付きなく照明灯２を支承保持できることとも容易に可能となる。
【００２０】
【実施例】
本発明の具体的な実施例について図面に基づいて説明する。
【００２１】
取付筒状部３を樹脂で成形する共に、この樹脂成形時に取付筒状部３の外面を凹設して内方へ突出する補強凹部６を一体形成し、この補強凹部６による内方突出部６Ａを前記取付筒状部３の周方向に配設するように構成している。
【００２２】
また、本実施例では、この内方突出部６Ａを有しないカ所を設けて前記抜け止め用係止突部１が抜き差し出入可能な係止突部通過可能部７を設け、この係止突部通過可能部７を通過させて前記照明灯２の差し込み部２Ａを前記取付筒状部３に差し入れた状態でこの照明灯２を回動して、前記係止突部通過可能部７と前記係止突部１との位置を周方向にずらすことで、この係止突部１が前記内方突出部６Ａにより、抜け止め状態となるように構成している。
【００２３】
具体的には、樹脂成形によって形成した前記補強凹部６による内方突出部６Ａにより、この取付筒状部３に差し込んだ前記照明灯２の差し込み部２Ａを囲んでガタ付くことをできるだけ防止して支承保持するように構成するが、この取付筒状部３の周方向に複数の補強凹部６を形成して、この取付筒状部３に差し込む前記照明灯２の差し込み部２Ａの周囲に複数の前記内方突出部６Ａを形成し、この内方突出部６Ａ間の１ヵ所のみを前記係止突部１が通過できる幅に設定して前記係止突部通過可能部７とし、他の内方突出部６Ａ間の間隔は係止突部１が通過できない幅として係止突部１の抜き差し出入を不可として、前記係止突部通過可能部７以外では前記係止突部１が抜け止め係止されるように構成している。
【００２４】
また、図９〜図１６に示す第二実施例では、前記取付筒状部３の周方向に形成する前記補強凹部６を上下二段に設け、上側の周方向には、間隔を置いて補強凹部６を形成し、この補強凹部６による内方突出部６Ａの間隔は、前述のように前記係止突部１が通過できる幅に設定して、この内方突出部６Ａのうちの一ヵ所を前記係止突部通過可能部７とし、他の補強凹部６間の下端部はやや内方へ突出させて係止突部１の抜き差し出入を不可として、前記係止突部通過可能部７以外では前記係止突部１が抜け止め係止されるように構成している。また、下側の周方向にも前記補強凹部６による内方突出部６Ａが有しないカ所を設けて、前記抜け止め用係止突部１が抜き差し出入可能な係止突部通過可能部７’を設けた構成としている。
【００２５】
また、この上下の補強凹部６間に内方突出部６Ａを有しないカ所を設けて前記係止突部１が回動移動可能な係止突部回動可能部８を設けている。
【００２６】
従って、図８，図１５に示すように係止突部１を係止突部通過可能部７に位置させて照明灯２の差し込み部２Ａを取付筒状部３に差し込み、係止突部１が係止突部通過可能部７を通過したところで回動すれば、係止突部１と係止突部通過可能部７との位置がズレ、補強凹部６による内方突出部６Ａによって係止突部１は抜け止め係止される。しかも、この第二実施例では図１５に示すように、更に次の係止突部１が係止突部通過可能部７に位置するところまで回動して更に照明灯２を差し込むことで、次の係止突部１は上側の一の内方突出部６Ａ間の係止突部通過可能部７に嵌合し、下側の係止突部１は下側の内方突出部６Ａ間の係止突部通過可能部７’に嵌合して回り止め状態に固定されるように構成している。
【００２７】
従って、この抜け止め状態となった照明灯２の差し込み部２Ａは、係止突部１が係止突部通過可能部７に嵌合することで回り止め状態となると共に、その周囲を内方突出部６Ａによって支承保持されることとなる。
【００２８】
このように、向きを位置決めて差し込み回動することで、補強凹部６の内方突出部６Ａによって周囲が支承保持されつつ、単に引き抜こうとしても位置合わせしない限りこの内方突出部６Ａに既存の係止突部１が係止してそのまま引き抜けないため、抜け止め状態となり、安易に照明灯を引き取れない。
【００２９】
従って、単管４に取付筒状部３に設けた単管取付部５の締付ネジを十分締め付けるなどして照明灯２を差し込み支承する取付筒状部３を単管４に固定すれば、この取付筒状部３に差し込んだ照明灯２が安易に引き抜かれてしまうことがない。
【００３０】
即ち、取付筒状部３を樹脂成形するに際して、補強凹部６の成形によって周囲を内方突出部６Ａで囲み、たとえゴム材などの柔軟性材で形成しなくても、ガタ付きなく照明灯２を支承保持でき、この補強凹部６による内方突出部６Ａによって係止突部通過可能部７を設けて、既存の差し込み部２Ａの係止突部１を利用して差し込み回動することで、再び回動しない限り引き抜けないように構成して、安易に引き抜きできないように構成することが樹脂成形によって安易に実現できることとなる。
【００３１】
また言い換えれば、このような内方突出部６Ａによる照明灯２の支承保持構造や、内方突出部６Ａを有しないカ所、例えば内方突出部６Ａ間の係止突部通過可能部７の形成も取付筒状部３を樹脂製とすることで容易に製作でき、またこの補強凹部６はこの樹脂製の取付筒状部３の補強作用も果たし、また照明灯２（差し込み部２Ａ）の寸法の違いに対応して多少内方突出部６Ａが変形あるいは柔軟可動するように構成できるため、周囲の内方突出部６Ａ内に照明灯２の差し込み部２Ａを圧入差し込みすることでガタ付きなく照明灯２を支承保持できることとなる。
【００３２】
しかも、上下二段に補強凹部６（内方突出部６Ａ）を形成する実施例では、補強凹部６が上下に配され、上下に夫々周方向に配した補強凹部６の内方突出部６Ａによって照明灯２が支承されるため、取付筒状部３の強度が一層向上すると共に、一層照明灯２の支承強度も向上し、また安易には引き取れない構造を樹脂成形によって容易に実現できることとなる。
【００３３】
尚、本発明は、本実施例に限られるものではなく、各構成要件の具体的構成は適宜設計し得るものである。
【００３４】
【発明の効果】
本発明は上述のように構成したから、単に照明灯を差し込み支承する取付筒状部に単管抱持用の取付金具を付設するのではなく、照明灯に設けられている既存の抜け止め用係止突部を利用して、単管にも容易に照明灯を取付できるだけでなく、差し込み回動操作によってコーンの場合と同様に一旦差し込み取り付けすれば、安易に照明灯を引き抜き持ち去られない構造を、樹脂成形に際する補強凹部によって実現でき、しかも照明筒をガタ付き少なく支承保持できる照明灯となる。
【００３５】
即ち、取付筒状部を樹脂成形するに際して、補強凹部の成形によってガタ付きなく照明灯を支承保持できるように構成できると共に、この補強凹部による内方突出部によって係止突部通過可能部を設けることで、既存の差し込み部の係止突部を利用して、単に差し込み回動することで取付筒状部に照明灯を差し込み支承すれば、再び回動しない限り引き抜けないように構成でき、内方突出部による照明灯の支承保持構造や、内方突出部を有しないカ所、例えば内方突出部間の係止突部通過可能部の形成も、取付筒状部を樹脂製としこの樹脂成形によって、容易に製作できる画期的な照明灯取付具となる。
【００３６】
また、請求項２，３記載の発明においては、一層ガタ付きなく強固に支承保持できると共に、容易に引き抜けない構造を容易に製作できる一層実用性に秀れた照明灯取付具となる。
【００３７】
また、請求項４記載の発明においては、回動抜き取りに際して抜き上がる回動位置でのみそのまま引き取ることができるようにして、この構造を知る使用者では着脱が容易となる、一層実用性に秀れた照明灯取付具となる。
【００３８】
また、請求項５記載の発明においては、補強凹部が上下に配され、上下に夫々周方向に配した補強凹部の内方突出部によって照明灯が支承されるため、取付筒状部の強度が一層向上すると共に、一層照明灯の支承強度も向上し、また安易には引き取れない構造を樹脂成形によって容易に実現できることとなる一層秀れた画期的な照明灯取付具となる。
【図面の簡単な説明】
【図１】第一実施例の使用状態を示す説明斜視図である。
【図２】第一実施例の斜視図である。
【図３】第一実施例の正面図である。
【図４】第一実施例の平面図である。
【図５】第一実施例の図３に示すＡ−Ａ線平断面図である。
【図６】第一実施例の図４に示すＢ−Ｂ’線正断面図である。
【図７】第一実施例の図４に示すＣ−Ｂ’線正断面図である。
【図８】第一実施例の差し込み操作説明図である。
【図９】第二実施例の斜視図である。
【図１０】第二実施例の正面図である。
【図１１】第二実施例の平面図である。
【図１２】第二実施例の図１０に示すＤ−Ｄ線平断面図である。
【図１３】第二実施例の図１１に示すＥ−Ｅ’線正断面図である。
【図１４】第二実施例の図１１に示すＦ−Ｅ’線正断面図である。
【図１５】第二実施例の差し込み操作説明図である。
【図１６】コーンに装着する場合の斜視図である。
【図１７】コーンに装着する場合の正断面図である。
【図１８】コーンに装着する場合の差し込み途中の正断面図である。
【図１９】コーンに装着する場合の装着完了時の正断面図である。
【符号の説明】
１　係止突部
２　照明灯
２Ａ　差し込み部
３　取付筒状部
４　単管
５　単管取付部
６　補強凹部
６Ａ　内方突出部
７・７’　係止突部通過可能部
８　係止突部回動可能部
【図１】
2004095207.tif 000003
【図２】
2004095207.tif 000004
【図３】
2004095207.tif 000005
【図４】
2004095207.tif 000006
【図５】
2004095207.tif 000007
【図６】
2004095207.tif 000008
【図７】
2004095207.tif 000009
【図８】
2004095207.tif 000010
【図９】
2004095207.tif 000011
【図１０】
2004095207.tif 000012
【図１１】
2004095207.tif 000013
【図１２】
2004095207.tif 000014
【図１３】
2004095207.tif 000015
【図１４】
2004095207.tif 000016
【図１５】
2004095207.tif 000017
【図１６】
2004095207.tif 000018
【図１７】
2004095207.tif 000019
【図１８】
2004095207.tif 000020
【図１９】
2004095207.tif 000021